(57)【要約】【課題】端物のページレイアウト作業を分散化するために必要な装置を提供する。【解決手段】レイアウト管理装置１は，オブジェクトに割り当てる作業グループと選択されたオブジェクトを示す作業グループ情報を端物のページレイアウトに付加する作業グループ設定手段１０と，端物のページレイアウトに付加されている作業グループ情報毎に，作業グループ情報で示されるオブジェクトを端物のページレイアウトと同じ位置に配置した作業グループ別レイアウトを少なくとも生成する作業グループ別レイアウト生成手段１１と，ページレイアウト作業後の作業グループ別レイアウト全てを合成することで，ページレイアウト作業後の端物のページレイアウトを生成する組版手段１２を備える。【選択図】図２
2014182641.tif 000002
【特許請求の範囲】
【請求項１】
端物のページレイアウトに配置されているオブジェクトが選択された後，選択したオブジェクトに割り当てる作業グループを設定する操作がなされると，選択されたオブジェクトに割り当てる前記作業グループの識別情報と選択されたオブジェクトを示す情報を含む作業グループ情報を端物のページレイアウトに付加する作業グループ設定手段と，端物のページレイアウトを前記作業グループ単位で分割する操作がなされると，端物のページレイアウトに付加されている前記作業グループ情報で示されるオブジェクト全てを端物のページレイアウトから除いた共通レイアウトに加え，端物のページレイアウトに付加されている前記作業グループ情報毎に，端物のページレイアウトと同サイズで，前記作業グループ情報で示されるオブジェクトを端物のページレイアウトと同じ位置に配置した作業グループ別レイアウトを生成する作業グループ別レイアウト生成手段と，ページレイアウト作業後の前記作業グループ別レイアウトを統合する操作がなされると，統合する前記作業グループ別レイアウトに対応する前記共通レイアウトと，ページレイアウト作業後の各前記作業グループ別レイアウトを合成する組版手段を備えたレイアウト管理装置。
【請求項２】
前記作業グループ別レイアウト生成手段は，端物のページレイアウトと同サイズで，前記作業グループ情報で示されるオブジェクトを端物のページレイアウトと同じ位置に配置したページレイアウトと前記共通レイアウトを合成することで作業グループ別レイアウトを生成し，前記組版手段は，前記作業グループ別レイアウトと前記共通レイアウトを合成する前に，前記作業グループ別レイアウトから前記共通レイアウトのオブジェクトを除く処理を実行することを特徴とする，請求項１に記載したレイアウト管理装置。
【請求項３】
前記作業グループ設定手段は，前記作業グループの設定結果を確認する操作がなされると，端物のページレイアウトに付加されている前記作業グループ情報を参照し，端物のページレイアウトに設定されている前記作業グループの識別情報を，前記作業グループが割り当てられているオブジェクトに関連付けて表示する処理を実行することを特徴とする，請求項１または請求項２に記載したレイアウト管理装置。
【請求項４】
ページレイアウトソフトに追加する拡張機能用のコンピュータプログラムであって，請求項１に記載した作業グループ設定手段，作業グループ別レイアウト生成手段および組版手段として，ページレイアウトソフトがインストールされたコンピュータを機能させるためのコンピュータプログラム。
【発明の詳細な説明】
【技術分野】
【０００１】
本発明は，１枚の用紙でできている印刷物である端物のページレイアウト作業を分散化するための技術に関する。
【背景技術】
【０００２】
数多くのオブジェクトを配置した端物（例えば，チラシ）のページレイアウト作業を行う際，作業時間の短縮を図るために，端物のページレイアウトの複製を複数用意し，ページレイアウト作業を複数の作業者に振り分けていた。しかし，この手法だと，最後に各作業者が実施した端物のページレイアウトを人手により１つのページレイアウトにまとめなければならず，この作業に時間を要したり，画像やテキストなどのオブジェクトの配置位置ずれ，オブジェクトの配置漏れなどのミスが発生したりする問題があった。
【０００３】
そこで，ミスなく効率的にページレイアウトできる発明として，商品情報を埋め込む複数のブロックを配置したテンプレートを用意し，予め準備した複数の商品情報の中から，ブロックに対応させる商品情報を各作業者に選択させ，作業者が選択した商品情報を商品情報に対応するブロックに配置することで，ページレイアウトを効率的に制作できるシステムが特許文献１で開示されている。
【先行技術文献】
【特許文献】
【０００４】
【特許文献１】特開２００９−８０７２１号公報
【発明の概要】
【発明が解決しようとする課題】
【０００５】
しかし，上述した特許文献１で開示されている発明では，商品カタログなどのように，複数の商品を配置した印刷物のページレイアウトを効率的に制作できるが，ページレイアウトの校正を効率的に行うことはできず，端物のページレイアウトの制作および校正を効率的に行えるためには，端物のページレイアウト作業そのものを分散化することが必要と考えられる。
【０００６】
そこで，本発明は，端物のページレイアウト作業を分散化するために必要な装置を提供することを目的とする。
【課題を解決するための手段】
【０００７】
上述した課題を解決する第１の発明は，端物のページレイアウト作業を分散化するための機能として，端物のページレイアウトに配置されているオブジェクトが選択された後，選択したオブジェクトに割り当てる作業グループを設定する操作がなされると，選択されたオブジェクトに割り当てる前記作業グループの識別情報と選択されたオブジェクトを示す情報を含む作業グループ情報を端物のページレイアウトに付加する作業グループ設定手段と，端物のページレイアウトを前記作業グループ単位で分割する操作がなされると，端物のページレイアウトに付加されている前記作業グループ情報で示されるオブジェクト全てを端物のページレイアウトから除いた共通レイアウトに加え，端物のページレイアウトに付加されている前記作業グループ情報毎に，端物のページレイアウトと同サイズで，前記作業グループ情報で示されるオブジェクトを端物のページレイアウトと同じ位置に配置した作業グループ別レイアウトを生成する作業グループ別レイアウト生成手段と，ページレイアウト作業後の前記作業グループ別レイアウトを統合する操作がなされると，統合する前記作業グループ別レイアウトに対応する前記共通レイアウトと，ページレイアウト作業後の各前記作業グループ別レイアウトを合成する組版手段を備えたレイアウト管理装置である。
【０００８】
更に，第２の発明は，第１の発明に記載したレイアウト管理装置であって，前記作業グループ別レイアウトから端物のページレイアウトの全体像が把握できるように，前記作業グループ別レイアウト生成手段は，端物のページレイアウトと同サイズで，前記作業グループ情報で示されるオブジェクトを端物のページレイアウトと同じ位置に配置したページレイアウトと前記共通レイアウトを合成することで作業グループ別レイアウトを生成し，前記組版手段は，前記作業グループ別レイアウトと前記共通レイアウトを合成する前に，前記作業グループ別レイアウトから前記共通レイアウトのオブジェクトを除く処理を実行することを特徴とする。
【０００９】
更に，第３の発明は，第１の発明または第２の発明に記載したレイアウト管理装置であって，前記作業グループの設定結果を確認できるように，前記作業グループ設定手段は，前記作業グループの設定結果を確認する操作がなされると，端物のページレイアウトに付加されている前記作業グループ情報を参照し，端物のページレイアウトに設定されている前記作業グループの識別情報を，前記作業グループが割り当てられているオブジェクトに関連付けて表示する処理を実行することを特徴とする。
【００１０】
更に，第４の発明は，ページレイアウトソフトに追加する拡張機能用のコンピュータプログラムであって，第１の発明に記載したレイアウト管理装置の作業グループ設定手段，作業グループ別レイアウト生成手段および組版手段として，ページレイアウトソフトがインストールされたコンピュータを機能させるためのコンピュータプログラムである。
【発明の効果】
【００１１】
このように，上述した本発明によれば，端物のページレイアウト作業を分散化するために必要な装置を提供できる。
【図面の簡単な説明】
【００１２】
【図１】レイアウト管理装置を配置したシステム構成を説明する図。
【図２】レイアウト管理装置の機能ブロック図。
【図３】レイアウト管理装置が実行する手順を説明するフロー図。
【図４】ページレイアウト画面を説明する図。
【図５】オブジェクトを選択する操作を説明する図。
【図６】作業グループを設定する操作を説明する図。
【図７】作業グループの設定結果を確認する画面。
【図８】共通レイアウトおよび作業グループ別レイアウトを説明する図。
【図９】作業グループ別レイアウトを統合する内容を説明する図。
【発明を実施するための形態】
【００１３】
ここから，本発明の好適な実施形態を記載する。なお，以下の記載は本発明の範囲を束縛するものでなく，理解を助けるために記述するものである。
【００１４】
図１は，本実施形態にかかるレイアウト管理装置１を配置したシステム構成を説明する図である。図１で図示したシステム３は，１枚の用紙でできている印刷物である端物のページレイアウトを管理するレイアウト管理装置１と，実際にページレイアウト作業が行われる複数のレイアウト端末２とから少なくとも構成され，図１では，レイアウト管理装置１とレイアウト端末２をＬＡＮ３aで接続している。
【００１５】
なお，本実施形態では，レイアウト管理装置１の機能を分かり易く説明するために，レイアウト管理装置１とレイアウト端末２を区別して記載しているにすぎず，レイアウト管理装置１とレイアウト端末２は，ＩｎＤｅｓｉｇｎ（登録商標）に代表されるページレイアウトソフトがインストールされたコンピュータを利用して実現されるため，一台のコンピュータにレイアウト管理装置１の機能とレイアウト端末２の機能を備えさせることができる。
【００１６】
図２は，本実施形態にかかるレイアウト管理装置１の機能ブロック図である。
【００１７】
レイアウト管理装置１は，端物のページレイアウト作業を分散化できるように発案された装置で，端物のページレイアウト作業を分散化するための機能として，端物のページレイアウトに配置されたオブジェクトが選択された後，選択したオブジェクトに割り当てる作業グループを設定する操作がなされると，選択されたオブジェクトに割り当てる作業グループと選択されたオブジェクトを示す作業グループ情報を端物のページレイアウトに付加する作業グループ設定手段１０と，端物のページレイアウトを作業グループ単位で分割する操作がなされると，端物のページレイアウトに付加されている作業グループ情報で示されるオブジェクト全てを端物のページレイアウトから除いた共通レイアウトに加え，端物のページレイアウトに付加されている作業グループ情報毎に，端物のページレイアウトと同サイズで，作業グループ情報で示されるオブジェクトを端物のページレイアウトと同じ位置に配置した作業グループ別レイアウトを生成する作業グループ別レイアウト生成手段１１と，ページレイアウト作業後の作業グループ別レイアウトを統合する操作がなされると，統合する作業グループ別レイアウトに対応する共通レイアウトと，ページレイアウト作業後の作業グループ別レイアウト全てを合成することで，ページレイアウト作業後の端物のページレイアウトを生成する組版手段１２を備える。なお，レイアウト管理装置１が備えるこれらの手段は，ページレイアウトソフトに追加する拡張機能用のコンピュータプログラム（アドイン）により実現される手段である。
【００１８】
選択されたオブジェクトに割り当てる作業グループは，端物のページレイアウト作業の分散作業単位を示す情報として取り扱われ，作業グループに基づいて生成された作業グループ別レイアウトが，端物のページレイアウト作業の分散作業単位になる。
【００１９】
実際に作業グループ別レイアウトのページレイアウト作業が行われる装置はレイアウト端末２になり，レイアウト管理装置１が生成した作業グループ別レイアウトは複数のレイアウト端末２に振り分けられる。なお，作業グループ別レイアウトのページレイアウト作業は，ＩｎＤｅｓｉｇｎ（登録商標）に代表される汎用的なページレイアウトソフトを利用して行うため，ここではその詳細の説明を省く。
【００２０】
ここからレイアウト管理装置１の機能について詳細に説明する。図３は，レイアウト管理装置１が実行する手順を説明するフロー図である。端物のページレイアウトを行う際，ページレイアウト作業の管理者が，ページレイアウト作業を行う端物のページレイアウトを選択すると，レイアウト管理装置１は，選択された端物のページレイアウトを表示するページレイアウト画面をディスプレイに表示する（Ｓ１）。
【００２１】
端物のページレイアウトはデータファイルに格納されるため，図３のＳ１において，端物のページレイアウトを選択する操作は，ページレイアウト作業を行う端物のページレイアウトを格納しているデータファイルを選択する操作になる。
【００２２】
図４は，レイアウト管理装置１がディスプレイに表示するページレイアウト画面を説明する図である。図４に図示したページレイアウト画面４には，ページレイアウトソフトの各種機能を呼び出すためのメニューバー４a，ページレイアウトソフトの操作を呼び出すためのツールボックス４ｂ，および，ページレイアウトを表示する作業ウィンドウ４ｃが含まれる。図４では，選択された端物のページレイアウトは作業ウィンドウ４ｃ内に表示され，作業グループを設定する操作を呼び出すための作業グループアイコン４０がツールボックス４ｂ内に表示されている。
【００２３】
また，図４で図示したページレイアウトは，端物をチラシとしたときのページレイアウトで，図４で図示したチラシのページレイアウト５には，オブジェクトとして，チラシのキャッチコピー５０a，キャッチコピー５０aを囲む枠線５０ｂ，目玉商品の商品画像５１a，ｃ，ｅと販売価格５１ｂ，ｄ，ｆ，目玉商品を区分するための枠線５０ｃ，季節商品の商品画像５２ａと販売価格５２ｂ（図４では符号をそれぞれ一つにしか付与していない），季節商品を区分するための枠線５０ｄ，特価品の商品画像５３ａと販売価格５３ｂ（図４では符号をそれぞれ一つにしか付与していない），特価品を区分するための枠線５０ｅが含まれる。
【００２４】
ページレイアウト画面４がディスプレイに表示された後，管理者が，端物のページレイアウトに含まれるオブジェクトの少なくとも一つをマウスやキーボードを利用して選択した後，選択したオブジェクトに割り当てる作業グループを設定する操作を実行すると，レイアウト管理装置１の作業グループ設定手段１０が作動し，作業グループ設定手段１０は，選択されたオブジェクトに割り当てる作業グループと選択されたオブジェクトを示す作業グループ情報を端物のページレイアウトに付加する処理を実施する（Ｓ２）。
【００２５】
図５は，オブジェクトを選択する操作を説明する図である。キーボードのＣｔｒｌキーを押しながらマウスでオブジェクトを選択する操作などにより，図５では，図４で図示したチラシのページレイアウト５に含まれるオブジェクトの中から，一点鎖線で囲ったオブジェクト，すなわち，目玉商品の商品画像５１a，ｃ，ｅと販売価格５１ｂ，ｄ，ｆが選択されている。なお，図５では，作業グループを設定する操作は，ツールボックス４ｂ表示されている作業グループアイコン４０を選択することでなされる。
【００２６】
図６は，選択されたオブジェクトに割り当てる作業グループを設定する操作を説明する図である。図６（ａ）は，選択されたオブジェクトに割り当てる作業グループを設定する作業グループ設定ダイアログ６ａを説明する図で，この作業グループ設定ダイアログ６ａは，ツールボックス４ｂに表示されている作業グループアイコン４０を選択した時に表示されるダイアログである。
【００２７】
図６（ａ）で図示した作業グループ設定ダイアログ６ａには，これまでに生成した作業グループ毎に，作業グループの選択に用いるチェックボックス６ａ３，作業グループの識別情報となる名称を表示するフォーム６ａ１および表示色を表示するフォーム６ａ２が表示され，ここでは，名称が「グループ１」で表示色が「Ｃ１」の作業グループが既に生成されている。選択されたオブジェクト（ここでは，目玉商品の商品画像５１a，ｃ，ｅと販売価格５１ｂ，ｄ，ｆ）に，名称が「グループ１」の作業グループを割り当てる際，名称が「グループ１」の作業グループに対応するチェックボックス６ａ３をＯＮにしてから，ボタンオブジェクト６ａ４を押すことで，選択されたオブジェクト（ここでは，目玉商品の商品画像５１a，ｃ，ｅと販売価格５１ｂ，ｄ，ｆ）に名称が「グループ１」の作業グループが割り当てられる。
【００２８】
図６（ｂ）は，新規の作業グループを追加するときに表示される作業グループ追加ダイアログ６ｂを説明する図で，この作業グループ追加ダイアログ６ｂは，作業グループ設定ダイアログ６ａのボタンオブジェクト６ａ５が選択された時に表示される。作業グループ追加ダイアログ６ｂには，追加する作業グループの識別情報，すなわち，名称と表示色を設定するフォーム６ｂ１，２が表示され，ここでは，追加する作業グループの名称は「グループ２」でその表示色は「Ｃ２」である。各フォーム６ｂ１，２にデータを入力した後，作業グループ追加ダイアログ６ｂのボタンオブジェクト６ｂ３が選択されると，フォームに入力された作業グループが端物のページレイアウトに追加される。
【００２９】
図６（ｃ）は，名称が「グループ２」の作業グループが追加された後の作業グループ設定ダイアログ６ａを説明する図である。名称が「グループ２」の作業グループが追加された後の作業グループ設定ダイアログ６ａでは，名称が「グループ１」の作業グループに加え，名称が「グループ２」の作業グループが割り当て可能になっている。
【００３０】
作業グループ設定ダイアログ６ａで，選択されたオブジェクトに割り当てる作業グループが設定されると，選択されたオブジェクトに割り当てる作業グループの識別情報と，選択されたオブジェクトを示す情報を含む作業グループ情報が端物のページレイアウトのメタデータに付加される。本実施形態において，作業グループ情報は構造化されたテキストで記述される情報で，ここでは，作業グループの識別情報は名称と表示色になる。また，選択されたオブジェクトを示す情報としては，オブジェクトの識別情報（例えば，オブジェクトに付加された名称）に加え，オブジェクトのサイズおよび配置位置なども利用することができる。
【００３１】
また，レイアウト管理装置１の作業グループ設定手段１０は，作業グループの設定結果を確認する操作がなされると，端物のページレイアウトに付加されている作業グループ情報を参照し，端物のページレイアウトに設定されている作業グループの識別情報を，作業グループが割り当てられているオブジェクトに関連付けて表示する処理を実行する（Ｓ３）。
【００３２】
図７は，作業グループの設定結果を確認する画面を説明する図である。本実施形態では，作業グループの識別情報の一つとして表示色があるため，作業グループが割り当てられているオブジェクトの背景を，オブジェクトが割り当てられている作業グループの表示色で塗り潰すことで，端物のページレイアウトに設定されている作業グループの識別情報を，作業グループが割り当てられているオブジェクトに関連付けて表示する。
【００３３】
図７の画面５ａでは，表示色で塗り潰される箇所を矩形枠で示しており，図７の画面５ａによる作業グループの設定結果によれば，名称が「グループ１」，表示色が「Ｃ１」（ここでは，「Ｃ１」で塗り潰す箇所を点線の矩形枠で示している）の作業グループに，目玉商品の商品画像５１a，ｃ，ｅと販売価格５１ｂ，ｄ，ｆが割り当てられている。また，名称が「グループ２」，表示色が「Ｃ２」（ここでは，「Ｃ２」で塗り潰す箇所を破線の矩形枠で示している）の作業グループに，季節商品の商品画像５２ａと販売価格５２ｂが割り当てられている。更に，名称が「グループ３」，表示色が「Ｃ３」（ここでは，「Ｃ１」で塗り潰す箇所を一点鎖線の矩形枠で示している）の作業グループに，特価品の商品画像５３ａと販売価格５３ｂが割り当てられている。なお，その他のオブジェクト，すなわち，チラシのキャッチコピー５０a，キャッチコピー５０aを囲む枠線５０ｂ，目玉商品を区分けする枠線５０ｃ，季節商品を区分けする枠線５０ｄおよび特価品を区分けする枠線５０ｅにはいずれの作業グループも割り当てられていない。
【００３４】
作業グループの設定が完了すると，管理者は，端物のページレイアウトを作業グループ単位で分割する操作を実行し，レイアウト管理装置１の作業グループ別レイアウト生成手段１１が作動する。レイアウト管理装置１の作業グループ別レイアウト生成手段１１は作動すると，端物のページレイアウトに付加されている作業グループ情報で示されるオブジェクト全てを端物のページレイアウトから除いた共通レイアウトに加え，端物のページレイアウトに付加されている作業グループ情報毎に，端物のページレイアウトと同サイズで，作業グループ情報で示されるオブジェクトを端物のページレイアウトと同じ位置に配置した作業グループ別レイアウトを生成する（Ｓ４）。
【００３５】
なお，端物のページレイアウトを作業グループ単位で分割する操作としては，ページレイアウトソフトのメニューバーに，端物のページレイアウトを作業グループ単位で分割する機能を設定しておき，メニューバーを利用して，端物のページレイアウトを作業グループ単位で分割する機能を呼び出すようにするとよい。
【００３６】
レイアウト管理装置１の作業グループ別レイアウト生成手段１１が生成する共通レイアウトは，端物のページレイアウトに配置されたオブジェクトから，端物のページレイアウトに付加されている作業グループ情報で示される全てのオブジェクトを除いたページレイアウトになる。例えば，図７では，目玉商品の商品画像５１a，ｃ，ｅと販売価格５１ｂ，ｄ，ｆ，季節商品の商品画像５２ａと販売価格５２ｂ，そして，特価品の商品画像５３ａと販売価格５３ｂに作業レイアウトが割り当てられているため，共通レイアウトは，どの作業グループも割り当てられていないオブジェクト，すなわち，チラシのキャッチコピー５０a，キャッチコピー５０aを囲む枠線５０ｂ，目玉商品を区分けする枠線５０ｃ，季節商品を区分けする枠線５０ｄおよび特価品を区分けする枠線５０ｅのみが配置されたページレイアウトになる。
【００３７】
レイアウト管理装置１の作業グループ別レイアウト生成手段１１が生成する作業グループ別レイアウトは，作業グループ情報で示されるオブジェクトのみが配置されたページレイアウトであってもよいが，作業グループ情報で示されるオブジェクトが配置されたページレイアウトと共通レイアウトを合成したページレイアウトにすると，作業グループ別レイアウトをページレイアウト作業する作業者が，作業グループ別レイアウトの元になった端物のページレイアウトの全体像を把握できるようになる。
【００３８】
図８は，共通レイアウトおよび作業グループ別レイアウトを説明する図で，図８は，図７で説明した内容から得られる共通レイアウトおよび作業グループ別レイアウトである。図８（ａ）は共通レイアウト７ａで，共通レイアウト７ａは，端物のページレイアウトと同じサイズのページレイアウトで，この共通レイアウトには，チラシのキャッチコピー５０a，キャッチコピー５０aを囲む枠線５０ｂ，目玉商品を区分けする枠線５０ｃ，季節商品を区分けする枠線５０ｄおよび特価品を区分けする枠線５０ｅが，端物のページレイアウトと同じ位置に配置されている。
【００３９】
図８（ｂ）は，名称が「グループ１」の作業グループに対応する作業グループ別レイアウト７ｂである。図７では，名称が「グループ１」の作業グループに，目玉商品の商品画像５１a，ｃ，ｅと販売価格５１ｂ，ｄ，ｆが割り当てられているため，この作業グループの作業グループ別レイアウト７ｂには，目玉商品の商品画像５１a，ｃ，ｅと販売価格５１ｂ，ｄ，ｆに加え，図８（ａ）で図示した共通グループのオブジェクトが，端物のページレイアウトと同じ位置に配置されている。
【００４０】
なお，図７では，名称が「グループ２」の作業グループと，名称が「グループ３」の作業グループが設定されているが，これらの作業グループに対応する作業グループ別レイアウトについては説明しない。
【００４１】
レイアウト管理装置１の作業グループ別レイアウト生成手段１１が生成した共通レイアウトと作業グループ別レイアウトは，作業グループ別レイアウトを生成する操作する際に指定されたフォルダ内に記憶される。そして，作業グループ別レイアウトのページレイアウト作業がレイアウト端末２で行われる際，レイアウト管理装置１からレイアウト端末２にＬＡＮ３ａ経由で送信され，レイアウト端末２上でページレイアウト作業が実施され，ページレイアウト作業後の作業グループ別レイアウトがレイアウト端末２からレイアウト管理装置１にＬＡＮ３ａ経由で送信され，レイアウト管理装置１の所定のフォルダに記憶される。
【００４２】
ページレイアウト作業後の作業グループ別レイアウトが全て揃った後，ページレイアウト作業後の作業グループ別レイアウトを統合する操作がなされると，レイアウト管理装置１の組版手段１２が作動し，組版手段１２は，統合する作業グループ別レイアウトに対応する共通レイアウトと，ページレイアウト作業後の作業グループ別レイアウト全てを合成することで，ページレイアウト作業後の端物のページレイアウトを生成する（Ｓ５）。
【００４３】
なお，ページレイアウト作業後の作業グループ別レイアウトを統合する操作としては，ページレイアウトソフトのメニューバーに，ページレイアウト作業後の作業グループ別レイアウトを統合する機能を設定しておき，メニューバーを利用して，ページレイアウト作業後の作業グループ別レイアウトを統合する機能を呼び出すようにするとよい。
【００４４】
更に，レイアウト管理装置１の作業グループ別レイアウト生成手段１１が生成する作業グループ別レイアウトに，共通レイアウトのオブジェクトが含まれる場合，レイアウト管理装置１の組版手段１２は，作業グループ別レイアウトと共通レイアウトを合成する前に，作業グループ別レイアウトに対応する作業グループ情報を参照するなどして，作業グループ別レイアウトから共通レイアウトのオブジェクトを除く処理を実行することになる。
【００４５】
図９は，ページレイアウト作業後の作業グループ別レイアウトを統合する内容を説明する図で，図９（ａ）は，ページレイアウト作業後の作業グループ別レイアウト８ａを説明する図で，作業グループ別レイアウト８ａは，図８（ｂ）の作業グループ別レイアウト７ｂを校正したページレイアウトである。作業グループ別レイアウト８ａでは，目玉商品の販売価格５１ｄが「￥５９，８００」から「￥５５，６００」に変更され，また，目玉商品の商品画像５１ｅが商品画像５１ｇに変更され，また，販売価格５１ｆが販売価格５ｈに変更されている。
【００４６】
図９（ｂ）は，ページレイアウト作業後のチラシのページレイアウト８ｂを説明する図で，ここでは，名称が「グループ２」および「グループ３」の作業グループ別レイアウトは校正されていないものとする。図９（ａ）で図示したページレイアウト作業後の作業グループ別レイアウト８ａおよび他の作業グループ別レイアウトと，図７（ａ）で図示した共通レイアウト７ａと合成することで，ページレイアウト作業されたチラシのページレイアウト８ｂでは，目玉商品の販売価格５１ｄが「￥５９，８００」から「￥５５，６００」に変更され，また，目玉商品の商品画像５１ｅが商品画像５１ｇに変更され，また，販売価格５１ｆが販売価格５ｈに変更されている。
【００４７】
このように，本実施形態のレイアウト管理装置１の組版手段１２では，統合する作業グループ別レイアウトに対応する共通レイアウトと，ページレイアウト作業後の作業グループ別レイアウト全てを合成して，ページレイアウト作業後の端物のページレイアウトを生成されるため，ページレイアウト作業後の作業グループ別レイアウト内容が，ページレイアウト作業後の端物のページレイアウトにそのまま反映されることになる。
【００４８】
例えば，作業グループ別レイアウトの元になった端物のページレイアウトにあったオブジェクトがページレイアウト作業後の作業グループ別レイアウトでは削除されていたり，また，作業グループ別レイアウトの元になった端物のページレイアウトに無いオブジェクトがページレイアウト作業後のグループ別オブジェクトに追加されていた場合でも，ページレイアウト作業後の作業グループ別レイアウト内容が，ページレイアウト作業後の端物のページレイアウトにそのまま反映されることになる。
【００４９】
なお，作業グループ別レイアウトに含まれる共通レイアウトのオブジェクトが変更されても，作業グループ別レイアウトに含まれる共通レイアウトのオブジェクトは利用されないため，共通レイアウトの変更内容は，ページレイアウト作業後の端物のページレイアウトに反映されない。
【符号の説明】
【００５０】
１    レイアウト管理装置
１０  作業グループ設定手段
１１  作業グループ別レイアウト生成手段
１２  組版手段
【図１】
2014182641.tif 000003
【図２】
2014182641.tif 000004
【図３】
2014182641.tif 000005
【図４】
2014182641.tif 000006
【図５】
2014182641.tif 000007
【図６】
2014182641.tif 000008
【図７】
2014182641.tif 000009
【図８】
2014182641.tif 000010
【図９】
2014182641.tif 000011